(57)【要約】【課題】  サーバおよび近距離無線端末と相互に連携して近距離無線端末内のファイルに対し適切な処理を行うよう制御する。【解決手段】  本発明の一実施形態として、実行すべき処理に対応するサーバＢのサーバＩＤを受け取り（Ｍ１）、処理テーブルにてサーバＩＤに関連付けられたハンディ端末Ｂが近距離無線通信可能な範囲内に存在するか否かを判断し（Ｍ２）、存在すると判断された場合、当該ハンディ端末Ｂ内のファイル情報を取得し（Ｍ３、Ｍ４）、取得されたファイル情報が、処理テーブルにて当該ファイルに関連付けられたファイル条件を充足するか否かを判定し（Ｍ５）、そして、当該判定結果に応じて当該ファイルに関連付けられた処理内容を実行するよう、自機（移動機１０）、サーバＢ、およびハンディ端末Ｂの少なくとも１つを制御する（Ｍ６〜Ｍ８）。【選択図】  図２
2006201974.tif 000002
【特許請求の範囲】
【請求項１】
通信網を介してサーバとの間で通信が可能で、自機から近距離無線通信可能な所定の範囲内に存在する近距離無線端末との間で近距離無線通信が可能な移動機であって、
サーバの識別情報、近距離無線端末の識別情報、前記近距離無線端末内のファイルに対する処理内容、および、前記ファイルに対し処理を実行する条件に関するファイル条件、を関係付けた処理テーブルを記憶した処理テーブル記憶手段と、
自機から近距離無線通信可能な範囲内に存在する近距離無線端末を把握する把握手段と、
実行すべき処理に対応するサーバのサーバ識別情報を受け取る受取手段と、
前記記憶された処理テーブルにて、前記受取手段により受け取ったサーバ識別情報に関連付けられた近距離無線端末が、近距離無線通信可能な範囲内に存在するか否かを、前記把握手段による把握結果に基づいて判断する判断手段と、
前記判断手段により、前記サーバ識別情報に関連付けられた近距離無線端末が存在すると判断された場合、当該近距離無線端末内のファイルに関するファイル情報を当該近距離無線端末から取得する取得手段と、
前記取得手段により取得されたファイル情報が、前記処理テーブルにて当該ファイルに関連付けられたファイル条件を充足するか否かを判定し、当該判定結果に応じて当該ファイルに関連付けられた処理内容を実行するよう、自機、前記サーバ、および、前記把握手段により把握された近距離無線端末の少なくとも１つを制御する実行制御手段と、
を備えた移動機。
【請求項２】
前記処理テーブルを外部機器から受信し、受信した処理テーブルを前記処理テーブル記憶手段に記憶させる受信制御手段をさらに備えた請求項１記載の移動機。
【請求項３】
前記実行制御手段は、
前記ファイルに関連付けられた処理内容を実行させるべき近距離無線端末が、前記把握手段により把握されているか否かに応じて、前記処理内容の実行制御を行う、請求項１又は２に記載の移動機。
【請求項４】
通信網を介してサーバとの間で通信を行う機能、自機から近距離無線通信可能な所定の範囲内に存在する近距離無線端末を把握する機能、および当該把握された近距離無線端末との間で近距離無線通信を行う機能を備え、サーバの識別情報、近距離無線端末の識別情報、前記近距離無線端末内のファイルに対する処理内容、および、前記ファイルに対し処理を実行する条件に関するファイル条件、を関係付けた処理テーブルを記憶した移動機、におけるファイル実行制御方法であって、
実行すべき処理に対応するサーバのサーバ識別情報を受け取る受取ステップと、
前記記憶された処理テーブルにて、前記受取ステップで受け取ったサーバ識別情報に関連付けられた近距離無線端末が、近距離無線通信可能な範囲内に存在するか否かを判断する判断ステップと、
前記判断ステップにて、前記サーバ識別情報に関連付けられた近距離無線端末が存在すると判断された場合、当該近距離無線端末内のファイルに関するファイル情報を当該近距離無線端末から取得する取得ステップと、
前記取得ステップにて取得されたファイル情報が、前記処理テーブルにて当該ファイルに関連付けられたファイル条件を充足するか否かを判定する判定ステップと、
前記判定ステップにおける判定結果に応じて当該ファイルに関連付けられた処理内容を実行するよう、自機、前記サーバ、および、前記把握手段により把握された近距離無線端末の少なくとも１つを制御する実行制御ステップと、
を有するファイル実行制御方法。
【発明の詳細な説明】
【技術分野】
【０００１】
本発明は、サーバや近距離無線端末と相互に連携し近距離無線端末内のファイルに対する処理の制御を行う移動機およびファイル実行制御方法に関する。
【背景技術】
【０００２】
近年では、運送会社の宅配サービス員やガス又は電気の検針作業員などが、各社独自のハンディ端末を携帯し、宅配サービス処理情報や検針結果情報などを現場でハンディ端末に入力することが広く行われており、このようなハンディ端末として赤外線通信やBlue Toothなどを用いるいわゆる近距離無線端末を利用することが提案されている。
【０００３】
ここでは、近距離無線端末の通信機能を利用して、近距離無線端末、移動機、サーバが相互に連係した処理の実現が待望されるが、未だ実現されていない。
【０００４】
かかる処理では、処理対象となるさまざまなファイルの種類・属性・サイズ等のファイル情報に応じて処理を行う必要が生じてくるが、あるファイル情報に応じて所定の処理を行う技術は、例えば、ユーザファイル情報に基づき経路探索及び交通情報の取得を行う技術として、下記の特許文献１に提案されている。
【特許文献１】特開２００２−４８５５８号
【発明の開示】
【発明が解決しようとする課題】
【０００５】
しかしながら、かかる特許文献１の技術は、単一の処理対象を前提とした単純なものにすぎず、上記の宅配サービス処理、検針処理など複数の処理対象をも視野に入れた上で、サーバ、移動機、他の近距離無線端末（例えばプリンタ等）を相互に連係させた処理は未だ提案されていない。
【０００６】
そこで、本発明は、サーバおよび近距離無線端末と相互に連携して近距離無線端末内のファイルに対し適切な処理を行うよう制御することができる移動機およびファイル実行制御方法を提供することを目的とする。
【課題を解決するための手段】
【０００７】
上記の目的を達成するために、本発明に係る移動機は、通信網を介してサーバとの間で通信が可能で、自機から近距離無線通信可能な所定の範囲内に存在する近距離無線端末との間で近距離無線通信が可能な移動機であって、サーバの識別情報、近距離無線端末の識別情報、近距離無線端末内のファイルに対する処理内容、および、ファイルに対し処理を実行する条件に関するファイル条件、を関係付けた処理テーブルを記憶した処理テーブル記憶手段と、自機から近距離無線通信可能な範囲内に存在する近距離無線端末を把握する把握手段と、実行すべき処理に対応するサーバのサーバ識別情報を受け取る受取手段と、記憶された処理テーブルにて、受取手段により受け取ったサーバ識別情報に関連付けられた近距離無線端末が、近距離無線通信可能な範囲内に存在するか否かを、把握手段による把握結果に基づいて判断する判断手段と、判断手段により、サーバ識別情報に関連付けられた近距離無線端末が存在すると判断された場合、当該近距離無線端末内のファイルに関するファイル情報を当該近距離無線端末から取得する取得手段と、取得手段により取得されたファイル情報が、処理テーブルにて当該ファイルに関連付けられたファイル条件を充足するか否かを判定し、当該判定結果に応じて当該ファイルに関連付けられた処理内容を実行するよう、自機、サーバ、および、把握手段により把握された近距離無線端末の少なくとも１つを制御する実行制御手段とを備えている。
【０００８】
また、本発明に係るファイル実行制御方法は、通信網を介してサーバとの間で通信を行う機能、自機から近距離無線通信可能な所定の範囲内に存在する近距離無線端末を把握する機能、および当該把握された近距離無線端末との間で近距離無線通信を行う機能を備え、サーバの識別情報、近距離無線端末の識別情報、近距離無線端末内のファイルに対する処理内容、および、ファイルに対し処理を実行する条件に関するファイル条件、を関係付けた処理テーブルを記憶した移動機、におけるファイル実行制御方法であって、実行すべき処理に対応するサーバのサーバ識別情報を受け取る受取ステップと、記憶された処理テーブルにて、受取ステップで受け取ったサーバ識別情報に関連付けられた近距離無線端末が、近距離無線通信可能な範囲内に存在するか否かを判断する判断ステップと、判断ステップにて、サーバ識別情報に関連付けられた近距離無線端末が存在すると判断された場合、当該近距離無線端末内のファイルに関するファイル情報を当該近距離無線端末から取得する取得ステップと、取得ステップにて取得されたファイル情報が、処理テーブルにて当該ファイルに関連付けられたファイル条件を充足するか否かを判定する判定ステップと、判定ステップにおける判定結果に応じて当該ファイルに関連付けられた処理内容を実行するよう、自機、サーバ、および、把握手段により把握された近距離無線端末の少なくとも１つを制御する実行制御ステップとを有している。
【０００９】
これらの発明では、まず移動機は、実行すべき処理に対応するサーバのサーバ識別情報を受け取る。ここでは、移動機は、サーバが接続された通信網からサーバ識別情報を受信してもよいし、移動機のユーザが入力したサーバ識別情報を受け取ってもよい。次に、移動機は、記憶された処理テーブルにて、上記サーバ識別情報に関連付けられた近距離無線端末が、近距離無線通信可能な範囲内に存在するか否かを判断し、存在すると判断された場合、当該近距離無線端末内のファイルに関するファイル情報を当該近距離無線端末から取得する。そして、移動機は、取得されたファイル情報が、処理テーブルにて当該ファイルに関連付けられたファイル条件を充足するか否かを判定し、当該判定結果に応じて当該ファイルに関連付けられた処理内容を実行するよう、自機、サーバ、および、把握手段により把握された近距離無線端末の少なくとも１つを制御する。
【００１０】
上記のように、処理テーブル（即ち、サーバの識別情報、近距離無線端末の識別情報、近距離無線端末内のファイルに対する処理内容、および、ファイルに対し処理を実行する条件に関するファイル条件、を関係付けた処理テーブル）に基づく処理を実行することで、サーバの識別情報や近距離無線端末の識別情報に応じて処理内容が決められているので、意図しない送信や処理の実行を回避することができる。なお、上記の「ファイル条件」については、「条件無し」（ファイル条件＝Ｎｕｌｌ）の場合、即ち、無条件で処理を実行する場合も含むものとする。
【００１１】
また、ファイル情報がファイル条件を充足するか否かの判定結果に応じて当該ファイルに関連付けられた処理内容を実行するため、ファイルサイズが所定サイズ以上である、ファイルがテキストデータである、ファイル更新日が本日である、…等のさまざまな条件に応じた適切な処理が可能となる。換言すれば、無駄な送信処理や印刷出力等を防止することができ、これに伴い、呼の有効活用を図ることもできる。
【００１２】
また、ファイルに関連付けられた処理内容を実行するよう、自機、サーバ、および、把握手段により把握された近距離無線端末の少なくとも１つを制御するため、処理を自機、サーバ、近距離無線端末の３者で分散することが可能となり、処理の拡張性・汎用性を向上することができる。
【００１３】
さらに、移動機から近距離無線通信可能な範囲内に存在する近距離無線端末を把握し、当該把握結果に応じて処理制御（例えばファイル情報の取得等）を行うことで、移動機の周辺状況に応じた制御を行うことが可能となる。
【００１４】
なお、本発明に係る移動機は、処理テーブルを外部機器から受信し該受信した処理テーブルを処理テーブル記憶手段に記憶させる受信制御手段をさらに備えることが望ましい。かかる受信制御手段によって、処理テーブルを外部機器から受信し、受信した処理テーブルを処理テーブル記憶手段に記憶させるので、処理テーブルを外部機器にて設定することが可能となる。これにより、移動機のユーザが必ずしも処理テーブルを設定する必要は無くなり、移動機のユーザによる操作を削減することが可能となる。
【００１５】
さらに、本発明に係る移動機では、実行制御手段は、ファイルに関連付けられた処理内容を実行させるべき近距離無線端末が、把握手段により把握されているか否かに応じて、処理内容の実行制御を行うことが望ましく、これにより、例えば、印刷出力する近距離無線端末が移動機から近距離無線通信可能な範囲内に存在しない場合、ファイルを移動機にて記憶しておき、印刷出力する近距離無線端末が移動機から近距離無線通信可能な範囲内に到来した時点で、ファイルを当該近距離無線端末へ送信し印刷出力させる、といったきめ細かい制御が可能となる。
【発明の効果】
【００１６】
本発明によれば、サーバおよび近距離無線端末と相互に連携して近距離無線端末内のファイルに対し適切な処理を行うよう制御することができる移動機およびファイル実行制御方法が提供される。
【発明を実施するための最良の形態】
【００１７】
以下、図面を参照しながら、本発明に係る移動機およびファイル実行制御方法の一実施形態を説明する。
【００１８】
図１には、本実施形態に係る移動機１０を含む全体構成図を示す。この図１に示すように、移動機１０は、通信網３０を介した通信を行うための移動体通信部１１を備え、通信網３０を介してサーバＡ、Ｂ、Ｃ（「サーバ４０」と総称する）との間で通信が可能とされている。また、移動機１０は、近距離無線通信（例えばBlue Toothや赤外線通信等）を行うための近距離無線通信部１２を備え、当該移動機１０から近距離無線通信が可能な所定の範囲内に存在する近距離無線端末（例えばハンディ端末５０、プリンタ５１、ディスプレイ５２等）との間で近距離無線通信が可能とされている。
【００１９】
本実施形態では、宅配サービス会社のサービス員が、ガスメータの検針をも行うことを想定する。そのため、サービス員は、宅配サービスに関するデータを入力・蓄積するためのハンディ端末Ａとともに、ガスメータの検針データを入力・蓄積するためのハンディ端末Ｂも携帯している。また、サービス員は、自己のスケジュール管理用のＰＤＡ（ハンディ端末Ｃ）や、プリンタ５１、ディスプレイ５２を自己の車内に搭載しているものとする。
【００２０】
また、サーバＡは宅配サービスを統括管理するサーバであり、サーバＢはガスメータの検針データを集中管理するサーバである。また、サーバＣは、サービス員が契約しているサービスプロバイダのサーバであり、後述の処理テーブル１６Ａを移動機１０に配信することが可能とされている。
【００２１】
また、移動機１０は、後述する処理テーブル１６Ａを記憶した処理テーブル記憶部１６と、自機から近距離無線通信可能な範囲内に存在する近距離無線端末を把握する把握部１７と、ダイヤル情報や各種の制御指示情報を入力するための入力部１３と、実行すべき処理に対応するサーバ４０のサーバ識別情報（以下「サーバＩＤ」という）を受け取る受取部１４と、受取部１４により受け取ったサーバＩＤに関連付けられた近距離無線端末が、近距離無線通信可能な範囲内に存在するか否かを判断する判断部１８と、近距離無線端末が存在すると判断された場合、当該近距離無線端末内のファイルに関するファイル情報を当該近距離無線端末から取得する取得部１９と、取得されたファイル情報が、処理テーブル１６Ａにて当該ファイルに関連付けられたファイル条件を充足するか否かを判定し、当該判定結果に応じて当該ファイルに関連付けられた処理内容を実行するよう、自機（移動機１０）、サーバ４０、および近距離無線端末５０〜５２の少なくとも１つを制御する実行制御部２０とを備えている。
【００２２】
受取部１４は、実行すべき処理に対応するサーバ４０のサーバＩＤを、入力部１３経由で受け取ってもよいし、移動体通信部１１によってサーバ４０から通信網３０経由で受け取ってもよい。
【００２３】
上記の処理テーブル記憶部１６が記憶した処理テーブル１６Ａは、例えば、図３に示すように、サーバＩＤ、ハンディ端末の識別情報（ハンディ端末ＩＤ）、各ハンディ端末内のファイルに対する処理内容、および、当該ファイルに対し処理を実行する条件に関するファイル条件、を関係付けて記憶している。
【００２４】
把握部１７は、自機から近距離無線通信可能な範囲内に存在する近距離無線端末（ここでは、ハンディ端末５０、プリンタ５１およびディスプレイ５２を含む広義の端末）を所定時間おきに探索し、当該探索で得られた近傍の近距離無線端末の情報を探索結果テーブル１７Ａ（図４参照）に保持することで、近傍の近距離無線端末を把握している。探索結果テーブル１７Ａには、例えば図４に示すように、近距離無線通信可能な範囲内に存在するハンディ端末として、ハンディ端末ＡのＩＤ（ＨＤ−Ａ）、ハンディ端末ＢのＩＤ（ＨＤ−Ｂ）、ハンディ端末ＣのＩＤ（ＨＤ−Ｃ）が保持され、近距離無線通信可能な範囲内に存在するプリンタとして、プリンタ５１のＩＤ（ＰＲＴ−１）、その他のプリンタのＩＤ（ＰＲＴ−２）が保持され、さらに、近距離無線通信可能な範囲内に存在するディスプレイとして、ディスプレイ５２のＩＤ（ＤＳＬ−３）が保持されている。
【００２５】
判断部１８は、サーバＩＤに関連付けられた近距離無線端末のＩＤが探索結果テーブル１７Ａに存在すれば、当該近距離無線端末は近距離無線通信可能な範囲内に存在すると判断し、近距離無線端末のＩＤが探索結果テーブル１７Ａに存在しなければ、当該近距離無線端末は近距離無線通信可能な範囲内に存在しないと判断する。
【００２６】
取得部１９は、判断部１８により近距離無線端末が近距離無線通信可能な範囲内に存在すると判断された場合に、近距離無線通信部１２によって、当該近距離無線端末内のファイルに関するファイル情報を当該近距離無線端末から取得する。
【００２７】
実行制御部２０は、取得部１９により取得されたファイル情報が、処理テーブル１６Ａにて当該ファイルに関連付けられたファイル条件を充足するか否かを判定し、当該判定結果に応じて当該ファイルに関連付けられた処理内容を実行するよう自機（移動機１０）、サーバ４０、および近距離無線端末５０〜５２の少なくとも１つを制御する。詳細は後述するが、例えば、ファイル情報が、ファイル更新日が本日であり且つファイルサイズが５１２キロバイトより大きいというファイル条件を充足する場合に、当該ファイルに関連付けられた処理内容として、プリンタが近距離無線通信可能な範囲に有れば、当該プリンタから当該ファイルを印刷し、プリンタが近距離無線通信可能な範囲に無ければ、所定のサーバ（例えば図１のサーバＢ）に当該ファイルを送信する、といった処理を実行することができる。
【００２８】
このように実行制御部２０は、ファイルに関連付けられた処理内容を実行させるべき近距離無線端末（例えば上記のプリンタ）が、近距離無線通信可能な範囲に存在すると、把握部１７により把握されているか否かに応じて、処理内容の実行制御を行うことができる。
【００２９】
また、移動機１０は、処理テーブル１６Ａを外部機器から受信し、受信した処理テーブル１６Ａを処理テーブル記憶部１６に記憶させる受信制御部１５をさらに備えている。このため、処理テーブル記憶部１６は、ユーザが入力部１３によって入力した情報を処理テーブル１６Ａとして保持してもよいし、受信制御部１５により受信された処理テーブル１６Ａを保持してもよい。
【００３０】
次に、本発明に係る移動機におけるファイル実行制御方法について、図２を参照しながら説明する。なお、移動機１０は、把握部１７によって、自機から近距離無線通信可能な範囲内に存在する近距離無線端末を所定時間おきに探索し、当該探索で得られた近傍の近距離無線端末の情報を探索結果テーブル１７Ａ（図４参照）に保持することで、近傍の近距離無線端末を随時把握しているものとする。
【００３１】
ここでは、宅配サービス会社のサービス員が、宅配サービスに関するデータの入力・蓄積用のハンディ端末Ａとともに、ガスメータの検針データの入力・蓄積用のハンディ端末Ｂを携帯し、必要に応じてハンディ端末Ａ、Ｂを使い分けながら、宅配サービスに関するデータとガスメータの検針データに対し所定の処理を行う例を説明する。
【００３２】
図２に示すように、移動機１０は、実行すべき処理に対応するサーバ４０のサーバＩＤを、受取部１４によって受け取る（図２のＭ１）。ここでは、一例として、サーバＢが移動機１０に対し、所定の処理（例えば検針データの収集等）の実行のためのトリガー情報を送信する例を説明する。サーバＢが移動機１０に対し上記トリガー情報を送信すると、通信網３０において当該トリガー情報に、送信元ごとにＩＤ（ここではサーバＢのＩＤ「Server-B」）が付与されて、移動機１０の移動体通信部１１経由で受取部１４に届けられる（Ｓ１）。なお、このように移動機１０の受取部１４は、サーバＩＤをサーバ４０から通信網３０経由で受け取ってもよいが、これに限定されるものではなく、受取部１４は、移動機１０のユーザが入力部１３により入力したサーバＩＤを受け取ってもよい。
【００３３】
次に、移動機１０は、判断部１８によって、上記受け取ったサーバＩＤ「Server-B」に関連付けられたハンディ端末（ここでは「ハンディ端末Ｂ」）が近距離無線通信可能な範囲内に存在するか否かを、把握部１７により保持された探索結果テーブル１７Ａを参照することで、判断する（Ｍ２）。
【００３４】
ここで、ハンディ端末Ｂが近距離無線通信可能な範囲内に存在すると判断された場合は、後述のＭ３以降の処理を実行する。しかしながら、ハンディ端末Ｂが近距離無線通信可能な範囲内に存在しないと判断された場合は、図２の処理を終了する。なお、上記受け取ったサーバＩＤ「Server-B」に関連付けられたハンディ端末Ｂの情報が、そもそも探索結果テーブル１７Ａに存在しない場合には、図２の処理を終了するのは勿論のことである。
【００３５】
図２のＭ３では、移動機１０は、取得部１９によって、ハンディ端末Ｂ内のファイル（即ち、ガスメータの検針結果のファイル）に関するファイル情報の取得要求をハンディ端末Ｂに対し近距離無線通信部１２経由で送信する（Ｍ３）。この取得要求を受けたハンディ端末Ｂは、ファイル情報を移動機１０の取得部１９へ通知し（Ｈ１）、移動機１０は該取得部１９によってファイル情報を取得する（Ｍ４）。
【００３６】
そして、移動機１０は、実行制御部２０によって、取得されたファイル情報が、処理テーブル１６Ａにて当該ファイルに関連付けられたファイル条件を充足するか否かを判定する（Ｍ５）。ここでは、例えば、ハンディ端末Ｂ（ＨＤ−Ｂ）に関連付けられたファイル条件ということで、ファイル情報が「ファイル更新日が本日であり且つファイルサイズが１Ｍバイトより大きい」というファイル条件を充足するか否かが判定される。
【００３７】
その後、移動機１０は、実行制御部２０によって、当該判定結果に応じて当該ファイルに関連付けられた処理内容を実行するよう自機（移動機１０）、サーバ４０、および近距離無線端末５０〜５２の少なくとも１つを制御する。ここでは、例えば、ハンディ端末Ｂのファイルに関連付けられた処理内容として、図３に示すように、（１）サーバＢに当該ファイルを送信する、（２）プリンタ５１が近距離無線通信可能な範囲に有る場合、当該プリンタ５１から当該ファイルを印刷する、といった処理を実行する。
【００３８】
具体的には、実行制御部２０がハンディ端末Ｂ内のファイルデータの取得要求をハンディ端末Ｂに対し近距離無線通信部１２経由で送信すると（Ｍ６）、この取得要求を受けたハンディ端末Ｂは、ファイルデータを実行制御部２０へ返送する（Ｈ２）。これにより、実行制御部２０はファイルデータを取得する（Ｍ７）。そして、実行制御部２０は、サーバＢに当該ファイルデータを送信することで（Ｍ８）、サーバＢに当該ファイルデータを保存させる（Ｓ２）。また、実行制御部２０は、プリンタ５１が移動機１０から近距離無線通信可能な範囲に存在するか否かを、把握部１７により保持された探索結果テーブル１７Ａを参照することで判断し、プリンタ５１が近距離無線通信可能な範囲に有れば、当該プリンタ５１へファイルデータを送信することで（Ｍ８）、当該ファイルデータを印刷させる（Ｐ１）。
【００３９】
なお、図２の処理Ｍ１は本発明に係るファイル実行制御方法の「受取ステップ」に、処理Ｍ２は「判断ステップ」に、処理Ｍ３、Ｍ４は「取得ステップ」に、処理Ｍ５は「判定ステップ」に、処理Ｍ６、Ｍ７、Ｍ８は「実行制御ステップ」に、それぞれ対応している。
【００４０】
以上説明した本発明に係る実施形態によれば、以下のような効果が得られる。即ち、処理テーブル１６Ａに基づく処理を実行することで、サーバＩＤやハンディ端末ＩＤに応じて処理内容が決められているので、宅配サービス会社のサービス員が、宅配サービスに関するデータをハンディ端末Ａから検針データ収集用のサーバＢに送信したり、ガスメータの検針データをハンディ端末Ｂから宅配サービスデータ用のサーバＡに送信したり、といった意図しない送信や処理の実行を未然に防止することができる。
【００４１】
また、ファイル情報がファイル条件を充足するか否かの判定結果に応じて当該ファイルに関連付けられた処理内容を実行するため、ファイルサイズが所定サイズ以上である、ファイルがテキストデータである、ファイル更新日が本日である、…等のさまざまな条件に応じた適切な処理が可能となる。換言すれば、無駄な送信処理や印刷出力等を防止することができ、これに伴い、呼の有効活用を図ることもできる。
【００４２】
また、ファイルに関連付けられた処理内容（図３参照）を実行するよう、移動機１０は、自機１０、サーバ４０、および、近隣の近距離無線端末（ハンディ端末やプリンタ等）の少なくとも１つを制御するため、処理を自機１０、サーバ４０、近距離無線端末の３者で分散することが可能となり、処理の拡張性・汎用性を向上することができる。
【００４３】
さらに、図２のＭ８において、プリンタ５１が移動機１０から近距離無線通信可能な範囲に存在するか否かを探索結果テーブル１７Ａを参照することで判断し、当該判断結果に応じた処理制御（例えばプリンタ５１からの印刷）を行うことで、移動機１０の周辺状況に応じた、きめ細かい適切な制御を行うことができる。
【００４４】
なお、移動機１０は、受信制御部１５によって、処理テーブル１６Ａを外部機器（例えばサーバ４０の何れか）から受信し該受信した処理テーブル１６Ａを処理テーブル記憶部１６に記憶させてもよい。これにより、処理テーブル１６Ａを外部機器にて設定することが可能となるため、移動機１０のユーザが必ずしも処理テーブル１６Ａを設定する必要は無くなり、ユーザによる操作を削減することが可能となる。但し、移動機１０において受信制御部１５は必須構成要素ではなく、入力部１３等から入力された情報を処理テーブル１６Ａとして処理テーブル記憶部１６にて保持してもよい。
【図面の簡単な説明】
【００４５】
【図１】本発明の一実施形態に係る移動機を含む全体構成図である。
【図２】移動機におけるファイル実行制御方法を説明するためのフロー図である。
【図３】処理テーブルの一例を示す図である。
【図４】探索結果テーブルの一例を示す図である。
【符号の説明】
【００４６】
１０…移動機、１１…移動体通信部、１２…近距離無線通信部、１３…入力部、１４…受取部、１５…受信制御部、１６…処理テーブル記憶部、１６Ａ…処理テーブル、１７…把握部、１７Ａ…探索結果テーブル、１８…判断部、１９…取得部、２０…実行制御部、３０…通信網、４０…サーバ、５０…ハンディ端末、５１…プリンタ、５２…ディスプレイ。
【図１】
2006201974.tif 000003
【図２】
2006201974.tif 000004
【図３】
2006201974.tif 000005
【図４】
2006201974.tif 000006